(57)【要約】【課題】大容量のデータ伝送を実現し、かつ、移動通信端末装置が必要なときのみ無線ＬＡＮシステムの基地局と無線リンクを確立するため消費電力を削減すること。【解決手段】本発明の移動通信端末装置１００は、セルラー無線信号により通信を行うセルラー無線システムと、無線ＬＡＮ信号により通信を行う無線ＬＡＮシステムを統合したハイブリッド無線通信システムにおいて用いられる。電力供給制御部１０５は特定の周期で無線ＬＡＮ信号受信部１０７への電力供給を実行する。無線ＬＡＮ通信エリア判定部１０８は無線ＬＡＮ信号受信部１０７が電力供給制御部１０５から電力を供給された時のみ前記無線ＬＡＮシステムの通信エリアの圏内であるか否かを判定する。【選択図】      図１
2004349863.tif 000002
【特許請求の範囲】
【請求項１】
セルラー無線信号により通信を行うセルラー無線システムと無線ＬＡＮ信号により通信を行う無線ＬＡＮシステムとを統合したハイブリッド無線通信システムにおける移動通信端末装置であって、
前記セルラー無線信号を受信してセルラー受信信号を生成するセルラー無線信号受信手段と、前記セルラー無線信号受信手段からの前記セルラー受信信号の情報から所定のセルラー無線通信エリアの圏内であるか否かを判定するセルラー無線エリア判定手段と、前記無線ＬＡＮ信号を受信してＬＡＮ受信信号を生成する無線ＬＡＮ信号受信手段と、前記無線ＬＡＮ信号受信手段への電力の供給を制御する電力供給制御手段と、前記無線ＬＡＮ信号受信手段からの前記ＬＡＮ受信信号の情報から所定の前記無線ＬＡＮシステムの通信エリアの圏内であるか否かを判定する無線ＬＡＮエリア判定手段と、を具備し、前記電力供給制御手段は特定の周期で前記無線ＬＡＮ信号受信手段への電力供給を実行する手段を有し、前記無線ＬＡＮエリア判定手段は前記無線ＬＡＮ信号受信手段が前記電力供給制御手段から電力を供給された時のみ前記無線ＬＡＮシステムの通信エリアの圏内であるか否かを判定することを特徴とする移動通信端末装置。
【請求項２】
前記電力供給制御手段は、前記セルラー無線エリア判定手段が前記所定のセルラー無線通信エリアの圏内であると判定した時に前記無線ＬＡＮ信号受信手段への電力の供給を停止する手段を具備することを特徴とする請求項１に記載の移動通信端末装置。
【請求項３】
前記電力供給制御手段のバッテリの残量を検知するバッテリ残量検知手段を具備し、前記電力供給制御手段は、前記バッテリ残量検知手段により検知される前記バッテリの残量に基づいて前記電力供給の周期を制御することを特徴とする請求項１又は請求項２に記載の移動通信端末装置。
【請求項４】
前記無線ＬＡＮエリア判定手段による判定結果を記憶する判定履歴記憶手段を具備し、前記電力供給制御手段は、前記判定履歴記憶手段による前記判定結果の成功率に基づいて前記電力供給の周期を制御することを特徴とする請求項１から請求項３のいずれかに記載の移動通信端末装置。
【請求項５】
前記電力供給制御手段による電力供給の再開の時間である電力供給再開時間を決定する電力供給再開時間の適正を判定して判定結果を生成する周期適正化手段を具備し、前記電力供給制御手段は、前記周期適正化手段による前記判定結果に基づいて前記電力供給の周期を制御することを特徴とする請求項１から請求項４のいずれかに記載の移動通信端末装置。
【請求項６】
セルラー無線信号により通信を行うセルラー無線システムと無線ＬＡＮ信号により通信を行う無線ＬＡＮシステムとを統合したハイブリッド無線通信システムにおいて移動通信端末装置が前記無線ＬＡＮシステムの通信エリアの圏内にいるか否かを検知する無線ＬＡＮ通信エリア検知方法であって、
前記移動通信端末装置がセルラー無線システムで通信中であるか否かを判定するステップと、前記セルラー無線システムで通信中である時に前記無線ＬＡＮシステムの通信エリアを探索する動作モードに遷移するステップと、前記セルラー無線システムで通信中でない時に前記セルラー無線システムの通信エリアの圏内にいるか否かを判定するステップと、前記セルラー無線システムの通信エリアの圏内にいる時に前記無線ＬＡＮシステムの通信エリアを探索しない動作モードに遷移するステップと、前記セルラー無線システムの通信エリアの圏内にいない時には前記無線ＬＡＮシステムの通信エリアを探索する動作モードに遷移するステップと、を具備することを特徴とする無線ＬＡＮ通信エリア検知方法。
【発明の詳細な説明】
【０００１】
【発明の属する技術分野】
本発明は、セルラー無線システムと無線ＬＡＮシステムとを統合したハイブリッド無線通信システムに用いられる移動通信端末装置に関する。
【０００２】
【従来の技術】
現在実用化されている無線通信システムは、二つの種類に大別することができる。一つ無線通信システムは、ＧＳＭ／ＰＤＣ等に代表されるセルラー無線システムである。他の無線通信システムは、非特許文献に記載されている無線ＬＡＮシステムである。
【０００３】
セルラー無線システムは、基地局と移動通信端末装置とが同期した間欠受信機能が備わっている。このため、移動通信端末装置は、通信エリアの圏内であるか否か、また、呼び出しが発生しているかどうかなどを効率的に判断し、待受け状態を維持することができる。
【０００４】
一方、無線ＬＡＮシステムは、ＩＥＥＥ８０２．１１ｂに記載のもので最大１１Ｍｂｐｓの伝送帯域を有し、ＩＥＥＥ８０２．１１ａに記載のもので５４Ｍｂｐｓの伝送帯域を有するから、大容量のデータ伝送が実現できる。また、近年では無線ＬＡＮシステムを用いたスポットサービスが提供されつつある。
【０００５】
【非特許文献】
ＩＥＥＥ８０２．１１ａ／ｂが記載された書面
【０００６】
【発明が解決しようとする課題】
しかしながら、従来のセルラー無線システムは、広範囲にわたって通信が可能であるが、伝送帯域がＰＤＣで２８．８ｋｂｐｓ程度であるから十分な伝送容量を備えているとは言えないという問題がある。
【０００７】
また、従来の無線ＬＡＮシステムにおいては、基地局と移動通信端末装置が同期した間欠受信機能が備わっていないため、移動通信端末装置が通信を行っていなくても基地局と無線リンクを確立しておく必要があるから、移動通信端末装置の消費電力が増大してしまうという問題がある。
【０００８】
本発明は、かかる点に鑑みてなされたものであり、大容量のデータ伝送を実現し、かつ、消費電力を削減することができる移動通信端末装置及び無線ＬＡＮ通信エリア検知方法を提供することを目的とする。
【０００９】
【課題を解決するための手段】
請求項１に記載の移動通信端末装置は、セルラー無線信号により通信を行うセルラー無線システムと無線ＬＡＮ信号により通信を行う無線ＬＡＮシステムとを統合したハイブリッド無線通信システムにおける移動通信端末装置であって、前記セルラー無線信号を受信してセルラー受信信号を生成するセルラー無線信号受信手段と、前記セルラー無線信号受信手段からの前記セルラー受信信号の情報から所定のセルラー無線通信エリアの圏内であるか否かを判定するセルラー無線エリア判定手段と、前記無線ＬＡＮ信号を受信してＬＡＮ受信信号を生成する無線ＬＡＮ信号受信手段と、前記無線ＬＡＮ信号受信手段への電力の供給を制御する電力供給制御手段と、前記無線ＬＡＮ信号受信手段からの前記ＬＡＮ受信信号の情報から所定の前記無線ＬＡＮシステムの通信エリアの圏内であるか否かを判定する無線ＬＡＮエリア判定手段と、を具備し、前記電力供給制御手段は特定の周期で前記無線ＬＡＮ信号受信手段への電力供給を実行する手段を有し、前記無線ＬＡＮエリア判定手段は前記無線ＬＡＮ信号受信手段が前記電力供給制御手段から電力を供給された時のみ前記無線ＬＡＮシステムの通信エリアの圏内であるか否かを判定する構成を採る。
【００１０】
この構成によれば、セルラー無線信号により通信を行うセルラー無線システムと無線ＬＡＮ信号により通信を行う無線ＬＡＮシステムとを統合したハイブリッド無線通信システムにおける移動通信端末装置であるため、大容量のデータ伝送を実現し、かつ、移動通信端末装置が必要なときのみ無線ＬＡＮシステムの基地局と無線リンクを確立するため消費電力を削減することができる。
【００１１】
請求項２に記載の移動通信端末装置は、請求項１に記載の発明において、前記電力供給制御手段は、前記セルラー無線エリア判定手段が前記所定のセルラー無線通信エリアの圏内であると判定した時に前記無線ＬＡＮ信号受信手段への電力の供給を停止する手段を具備する構成を採る。
【００１２】
この構成によれば、請求項１記載の発明の効果に加えて、消費電力をより削減することができる。
【００１３】
請求項３に記載の移動通信端末装置は、請求項１又は請求項２に記載の発明において、前記電力供給制御手段のバッテリの残量を検知するバッテリ残量検知手段を具備し、前記電力供給制御手段は、前記バッテリ残量検知手段により検知される前記バッテリの残量に基づいて前記電力供給の周期を制御する構成を採る。
【００１４】
この構成によれば、請求項１又は請求項２に記載の発明の効果に加えて、バッテリ残量検知手段により検知されるバッテリの残量に基づいて電力供給の周期を制御することができる。
【００１５】
請求項４に記載の移動通信端末装置は、請求項１から請求項３のいずれかに記載の発明において、前記無線ＬＡＮエリア判定手段による判定結果を記憶する判定履歴記憶手段を具備し、前記電力供給制御手段は、前記判定履歴記憶手段による前記判定結果の成功率に基づいて前記電力供給の周期を制御する構成を採る。
【００１６】
この構成によれば、請求項１から請求項３のいずれかに記載の発明の効果に加えて、判定履歴記憶手段による判定結果の成功率に基づいて電力供給の周期を制御することができる。
【００１７】
請求項５に記載の移動通信端末装置は、請求項１から請求項４のいずれかに記載の発明において、前記電力供給制御手段による電力供給の再開の時間である電力供給再開時間を決定する電力供給再開時間の適正を判定して判定結果を生成する周期適正化手段を具備し、前記電力供給制御手段は、前記周期適正化手段による前記判定結果に基づいて前記電力供給の周期を制御する構成を採る。
【００１８】
この構成によれば、請求項１から請求項４のいずれかに記載の発明の効果に加えて、周期適正化手段による判定結果に基づいて電力供給の周期を制御することができる。
【００１９】
請求項６に記載の無線ＬＡＮ通信エリア検知方法は、セルラー無線信号により通信を行うセルラー無線システムと無線ＬＡＮ信号により通信を行う無線ＬＡＮシステムとを統合したハイブリッド無線通信システムにおいて移動通信端末装置が前記無線ＬＡＮシステムの通信エリアの圏内にいるか否かを検知する無線ＬＡＮ通信エリア検知方法であって、前記移動通信端末装置がセルラー無線システムで通信中であるか否かを判定するステップと、前記セルラー無線システムで通信中である時に前記無線ＬＡＮシステムの通信エリアを探索する動作モードに遷移するステップと、前記セルラー無線システムで通信中でない時に前記セルラー無線システムの通信エリアの圏内にいるか否かを判定するステップと、前記セルラー無線システムの通信エリアの圏内にいる時に前記無線ＬＡＮシステムの通信エリアを探索しない動作モードに遷移するステップと、前記セルラー無線システムの通信エリアの圏内にいない時には前記無線ＬＡＮシステムの通信エリアを探索する動作モードに遷移するステップと、を具備するようにした。
【００２０】
この方法によれば、セルラー無線信号により通信を行うセルラー無線システムと無線ＬＡＮ信号により通信を行う無線ＬＡＮシステムとを統合したハイブリッド無線通信システムにおける移動通信端末装置に適用するため、大容量のデータ伝送を実現し、かつ、移動通信端末装置が必要なときのみ無線ＬＡＮシステムの基地局と無線リンクを確立するため消費電力を削減することができる
【００２１】
【発明の実施の形態】
本発明の骨子は、セルラー無線システムと無線ＬＡＮシステムを統合したハイブリッド無線通信システムにおける移動通信端末装置であって、電力供給制御手段が特定の周期で無線ＬＡＮ信号受信手段への電力供給を実行する手段を有し、前記無線ＬＡＮ信号受信手段が前記電力供給制御手段から電力を供給された時のみ無線ＬＡＮエリア判定手段が前記無線ＬＡＮシステムの通信エリアの圏内であるか否かを判定することである。
【００２２】
以下、本発明の実施の形態について、図面を参照して詳細に説明する。
【００２３】
（実施の形態１）
図１は、本発明の実施の形態１に係る移動通信端末装置の構成を示すブロック図である。図２は、本発明の実施の形態１に係る移動通信端末装置が用いられるセルラー無線システムと無線ＬＡＮシステムを統合したハイブリッド無線通信システムの構成の概略を示す模式図である。
【００２４】
本発明の実施の形態１に係る移動通信端末装置は、間欠受信機能を備えたセルラー無線システムと、間欠受信機能を持たない無線ＬＡＮシステムと、を統合したハイブリッド無線通信システムに用いられる移動通信端末装置である。本発明の実施の形態においては、無線ＬＡＮシステムとしてＩＥＥＥ８０２．１１を用いたシステムを例に取り上げて説明する。
【００２５】
図１に示すように、本発明の実施の形態１に係る移動通信端末装置１００は、アンテナ１０１、セルラー無線信号受信部１０２、セルラー無線エリア判定部１０３、セルラー無線通信部１０４、電力供給制御部１０５、アンテナ１０６、無線ＬＡＮ信号受信部１０７、無線ＬＡＮ通信エリア判定部１０８及び無線ＬＡＮ信号通信部１０９を具備している。
【００２６】
セルラー無線信号受信部１０２は、セルラー無線システムのセルラー無線信号をアンテナ１０１を介して受信してセルラー受信信号を生成する。セルラー無線エリア判定部１０３は、セルラー無線信号受信部１０２からのセルラー受信信号の情報から所定のセルラー無線通信エリアの圏内であるか否かを判定して判定結果を生成してセルラー無線通信部１０４及び電力供給制御部１０５に与える。セルラー無線通信部１０４は、セルラー無線信号受信部１０２からのセルラー受信信号を受け、また、セルラー送信信号をアンテナ１０１を介して送信する。
【００２７】
無線ＬＡＮ信号受信部１０７は、アンテナ１０６を介して無線ＬＡＮ信号を受信してＬＡＮ受信信号を生成して無線ＬＡＮ通信エリア判定部１０８及び無線ＬＡＮ信号通信部１０９に与える。電力供給制御部１０５は、無線ＬＡＮ信号受信部１０７への電力供給を制御する。無線ＬＡＮ通信エリア判定部１０８は、無線ＬＡＮ信号受信部１０７からのＬＡＮ受信信号の情報から所定の無線ＬＡＮシステムの通信エリアの圏内であるか否かを判定して判定結果を生成し無線ＬＡＮ信号通信部１０９に与える。無線ＬＡＮ信号通信部１０９は、無線ＬＡＮ信号受信部１０７からのＬＡＮ受信信号を受け、また、ＬＡＮ送信信号をアンテナ１０６を介して送信する。
【００２８】
電力供給制御部１０５は、特定の周期で無線ＬＡＮ信号受信部１０７への電力供給を実行する。無線ＬＡＮ通信エリア判定部１０８は、無線ＬＡＮ信号受信部１０７が電力供給制御部から電力を供給された時のみ無線ＬＡＮシステムの通信エリアの圏内であるか否かを判定する。
【００２９】
本発明の実施の形態１においては、セルラー無線システムと無線ＬＡＮシステムの通信エリアが混在する領域を移動する移動通信端末装置１００が、データの着信を待受けたり、また、データ通信を行ったりする場合を想定して説明する。
【００３０】
図２に示すように、本発明の実施の形態１においては、ハイブリッド無線通信システムは、セルラー無線システム２０１と、無線ＬＡＮシステム２０２とが統合され、セルラー無線システム２０１の通信エリア２０３と無線ＬＡＮシステム２０２の通信エリア２０４、２０５が一部重なって配置されている。
【００３１】
例えば、移動通信端末装置１００は、セルラー無線システム２０１の通信エリア２０３の圏内の地点Ａからセルラー無線システム２０１の通信エリア２０３と無線ＬＡＮシステム２０２の通信エリア２０４の重なった通信エリアの圏内の地点Ｂ、通信エリア２０３、２０４の圏外の地点Ｃ、無線ＬＡＮシステム２０２のみの通信エリア２０５の圏内の地点Ｄへと移動するものとする。
【００３２】
次に、本発明の実施の形態１に係る移動通信端末装置の動作の１例について、図面を参照して詳細に説明する。
【００３３】
図３は、本発明の実施の形態１に係る移動通信端末装置の動作の１例を説明するためのフロー図である。
【００３４】
まず、移動通信端末装置１００の基本動作について説明する。移動通信端末装置１００は、無線ＬＡＮシステム２０２での通信を行う要求がある場合には、自身が無線ＬＡＮシステム２０２の通信エリアの圏内にいるかどうかを判定し、通信エリアの圏内にいれば通信を開始し、通信エリアの圏外であれば自身の移動によって通信環境が変化し通信エリアの圏内に入ったことを検知する必要がある。
【００３５】
このため、移動通信端末装置１００では、電力供給制御部１０５が無線ＬＡＮ信号受信部１０７に電力を供給して無線ＬＡＮ信号を受信して無線ＬＡＮ受信信号を生成する。無線ＬＡＮ通信エリア判定部１０８は、無線ＬＡＮ受信信号の情報から自身が所定の無線ＬＡＮシステムの通信エリアの圏内にいるかどうか判定する。
【００３６】
無線ＬＡＮ通信エリア判定部１０８が所定の無線ＬＡＮシステムの通信エリアの圏内にいると判定した場合には、電力供給制御部１０５は、無線ＬＡＮ信号受信部１０７への電力供給を継続し、無線ＬＡＮ信号通信部１０９によって無線ＬＡＮシステムを用いた広帯域データ通信を行う。
【００３７】
無線ＬＡＮ通信エリア判定部１０８が所定の無線ＬＡＮ通信エリアの圏外であると判定した場合には、電力供給制御部１０５は、無線ＬＡＮ信号受信部１０７への電力供給を停止し、所定の時間の経過後に前述の手順を繰り返す。このように、移動通信端末装置１００は、無線ＬＡＮエリア探索動作モードの動作を実行する。
【００３８】
一方で、移動通信端末装置１００においては、基地局と同期した間欠受信機能によって、セルラー無線信号受信部１０２によってセルラー無線信号を受信して生成したセルラー無線信号に基づいて、セルラー無線エリア判定部１０３がセルラー無線システムの通信エリアの圏内にいるかどうかを判定している。
【００３９】
次に移動通信端末装置１００がセルラー無線信号の状態に応じて動作モードを切り替える基本処理について図３を用いて説明する。
【００４０】
まず、移動通信端末装置１００は、セルラー無線システムで通信中か否かを判断する（ステップＳＴ３０１）。ステップＳＴ３０１において移動通信端末装置１００がセルラー無線システムで通信中である時には、移動通信端末装置１００は、前述の無線ＬＡＮエリア探索動作モードへ遷移する（ステップＳＴ３０２）。
【００４１】
ステップＳＴ３０１において移動通信端末装置１００がセルラー無線信号で通信中でない時には、移動通信端末装置１００は、セルラー無線通信システムの通信エリアの圏内にいるかどうかを判断する（ステップＳＴ３０３）。ステップＳＴ３０３において移動通信端末装置１００がセルラー無線通信システムの通信エリアの圏内にいる時には、無線ＬＡＮエリアを探索しない動作モードに遷移する（ステップＳＴ３０４）。
【００４２】
一方、ステップＳＴ３０３において移動通信端末装置１００がセルラー無線通信システムの通信エリアの圏内にいない時には、無線ＬＡＮエリア探索動作モードに遷移する（ステップＳＴ３０５）。
【００４３】
移動通信端末装置１００は、このような手順を特定の間隔をおいて繰り返すことにより、セルラー無線システムの状態に応じて動作モードを切り替える。
【００４４】
次に、図２において移動通信端末装置１００が地点Ａから地点Ｂ、Ｃ、Ｄへと移動する時の動作について説明する。
【００４５】
移動通信端末装置１００は、前述の基地局と同期した間欠受信機能によってセルラー無線通信エリア２０３にいることを検知する。このとき移動通信端末装置１００は、セルラー無線信号を用いて通信を行っていない時には、広帯域データ通信を行う必要がない、すなわち、無線ＬＡＮシステムを用いた通信を行う必要がないと判断し、セルラー無線通信部１０４が電力供給制御部１０５に無線ＬＡＮ信号受信部１０７に電力を供給しないままでいるように指示する。これにより、移動通信端末装置１００は、無線ＬＡＮ側の無線ＬＡＮ信号受信部１０７、無線ＬＡＮ通信エリア判定部１０８及び無線ＬＡＮ信号通信部１０９の受信機能を完全に停止させて、消費電力を削減することができる。
【００４６】
次に、移動通信端末装置１００においては、セルラー無線信号受信部１０２及びセルラー無線通信部１０４がセルラー無線信号の着信を受けて、セルラー無線信号を用いた通信を行う。
【００４７】
この時に、移動通信端末装置１００は、より広帯域な通信又は安価な通信を行う要求を受けた時に、無線ＬＡＮ信号を用いた通信を行う必要があると判断し、無線ＬＡＮシステムの通信エリアの検知を開始する。すなわち、セルラー無線通信部１０４は、電力供給制御部１０５に無線ＬＡＮ信号受信部１０７に対する電力供給を開始するように指示する。
【００４８】
無線ＬＡＮ通信エリア判定部１０８は、前述した手順によって無線ＬＡＮ通信エリアを検知する。移動通信端末装置１００は、このように無線ＬＡＮ通信エリア検知動作モードに切り替わって、無線ＬＡＮ通信エリア２０４に入るまで検知を続ける。
【００４９】
移動通信端末装置１００は、無線ＬＡＮ通信エリア２０４に入った時に、前述したように電力供給制御部１０５が無線ＬＡＮ信号受信部１０７への電力の供給を継続するので、無線ＬＡＮ信号通信部１０９が無線ＬＡＮシステムを用いた広帯域通信を実現する。
【００５０】
次に、移動通信端末装置１００は、通信を完了してセルラー無線システム２０１、無線ＬＡＮシステムの通信エリア２０３、２０４からも外れた地点Ｃに移動する。このときセルラー無線エリア判定部１０３は、前述したようにセルラー無線システム２０１の通信エリア２０３の圏外であることを検知する。この時に、移動通信端末装置１００は、別の無線システムを確保する必要があると判断し、無線ＬＡＮ通信エリアの検知を開始する。すなわち、セルラー無線エリア判定部１０３は、電力供給制御部１０５に無線ＬＡＮ信号受信部１０７に対する電力の供給を開始するように指示する。無線ＬＡＮ通信エリア判定部１０８は、前述した手順によって無線ＬＡＮ通信エリアを検知する。
【００５１】
移動通信端末装置１００は、このようにして無線ＬＡＮ通信エリア検知動作モードに切り替わって、無線ＬＡＮ通信エリア２０５に入るまで検知を続ける。移動通信端末装置１００は、無線ＬＡＮ通信エリア２０５に入った時に、前述したように無線ＬＡＮ通信エリア２０５の圏内に入ったことを検知するため、必要に応じて無線ＬＡＮ信号通信部１０９を用いた広帯域通信を実現できる。
【００５２】
このように、本発明の実施の形態１によれば、セルラー無線信号により通信を行うセルラー無線システムと無線ＬＡＮ信号により通信を行う無線ＬＡＮシステムとを統合したハイブリッド無線通信システムにおける移動通信端末装置であるため、大容量のデータ伝送を実現し、かつ、移動通信端末装置が必要なときのみ無線ＬＡＮシステムの基地局と無線リンクを確立するため消費電力を削減することができる。
【００５３】
（実施の形態２）
次に、本発明の実施の形態２について、図面を参照して詳細に説明する。
【００５４】
図４は、本発明の実施の形態２に係る移動通信端末装置の構成を示すブロック図である。本発明の実施の形態２においては、本発明の実施の形態１と同じ構成要素には同じ参照符号が付されて、その説明が省略される。
【００５５】
図４に示すように、本発明の実施の形態２に係る移動通信端末装置４００は、本発明の実施の形態１に係る移動通信端末装置１００において、電力供給制御部１０５のバッテリの残量を検知するバッテリ残量検知部４０１をさらに具備している。
【００５６】
本発明の実施の形態２に係る移動通信端末装置４００は、本発明の実施の形態１における基本動作において、電力供給制御部１０５が無線ＬＡＮ信号受信部１０７への電力供給を停止してから電力供給を再開する時にバッテリ残量検知部４０１がバッテリの残量を調べてバッテリ残量検知結果を生成して電力供給制御部１０５に与える。電力供給制御部１０５は、バッテリ残量検知部４０１からのバッテリ残量検知結果に基づいて電力供給の再開までの時間である電力供給再開時間、すなわち、電力供給の周期を決定する。電力供給制御部１０５は、バッテリ残量検知結果が示すバッテリ残量がある閾値よりも小さくなった時には予め定められた時間とし、又は、バッテリ残量検知結果が示すバッテリの残量に応じて電力供給再開時間を連続的に変化させる。
【００５７】
なお、本発明の実施の形態２は、本発明の実施の形態１に適用することができる。
【００５８】
このように本発明の実施の形態２によれば、本発明の実施の形態１の効果に加えて、バッテリ残量検知部４０１により検知されるバッテリの残量に基づいて電力供給の周期を制御することができる。
【００５９】
（実施の形態３）
次に、本発明の実施の形態３について、図面を参照して詳細に説明する。
【００６０】
図５は、本発明の実施の形態３に係る移動通信端末装置の構成を示すブロック図である。本発明の実施の形態３においては、本発明の実施の形態１と同じ構成要素には同じ参照符号が付されて、その説明が省略される。
【００６１】
図５に示すように、本発明の実施の形態３に係る移動通信端末装置５００は、本発明の実施の形態１に係る移動通信端末装置１００において、無線ＬＡＮ通信エリア判定部１０８が生成した判定結果を記憶する判定履歴記憶部５０１をさらに具備している。
【００６２】
本発明の実施の形態３に係る移動通信端末装置５００は、本発明の実施の形態１における基本動作において、電力供給制御部１０５は、無線ＬＡＮ信号受信部１０７への電力供給を停止してから、電力供給を再開する時に判定履歴記憶部５０１が最近の無線ＬＡＮシステムの通信エリア判定の成功率に基づいて電力供給再開までの時間である電力供給再開時間、すなわち、電力供給の周期を決定する。
【００６３】
最近の無線ＬＡＮシステムの通信エリア判定の成功率が高い場合には、移動通信端末装置５００の周辺に無線ＬＡＮ通信エリアが密集していると推定することができる。一方、最近の無線ＬＡＮシステムの通信エリア判定の成功率が低い場合には、移動通信端末装置５００の周辺に無線ＬＡＮ通信エリアがあまり存在していないと推定することができる。このため、電力供給制御部１０５は、前記判定の成功率が高い場合にはより確実な通信を行うために電力供給再開時間を短く設定し、かつ、前記判定の成功率が低い場合には無駄を防ぐために電力供給再開時間を長く設定する。
【００６４】
なお、本発明の実施の形態３は、本発明の実施の形態１、２に適用することができる。
【００６５】
このように本発明の実施の形態３によれば、本発明の実施の形態１又は２の発明の効果に加えて、判定履歴記憶部５０１による判定結果の成功率に基づいて電力供給の周期を制御することができる。
【００６６】
（実施の形態４）
次に、本発明の実施の形態４について、図面を参照して詳細に説明する。
【００６７】
図６は、本発明の実施の形態４に係る移動通信端末装置の構成を示すブロック図である。本発明の実施の形態４においては、本発明の実施の形態１と同じ構成要素には同じ参照符号が付されて、その説明が省略される。
【００６８】
図６に示すように、本発明の実施の形態４に係る移動通信端末装置６００は、本発明の実施の形態１に係る移動通信端末装置１００において、周期適正化部６０１をさらに具備している。周期適正化部６０１は、無線ＬＡＮ信号受信部１０７に対する電力供給の周期の妥当性を判定して判定結果を生成して電力供給制御部１０５に与える。
【００６９】
本発明の実施の形態４に係る移動通信端末装置６００においては、電力供給制御部１０５が無線ＬＡＮ信号受信部１０７への電力供給を停止してから電力供給を再開するまでの時間である電力供給再開時間、すなわち、電力供給の周期を決定する時に、前述したような処理によって電力供給再開時間を設定した後にその電力供給再開時間の妥当性を周期適正化部６０１が判定して判定結果を生成して電力供給制御部１０５に与える。電力供給制御部１０５は、電力供給再開時間が適正であることを周期適正化部６０１の判定結果が示している場合には設定した電力供給再開時間をそのまま適用する。また、電力供給制御部１０５は、電力供給再開時間が適正でないことを周期適正化部６０１の判定結果が示している場合には予め設定しておいた値を適用する。
【００７０】
なお、この場合に、電力供給制御部１０５は、例えば、電力供給再開時間が適正である場合の適正範囲を決めておき、電力供給再開時間が前記適正範囲から外れた場合には不適正と判定して、前記適正範囲の最大値及び最小値の近い方の値を電力供給再開時間として選択する。
【００７１】
なお、本発明の実施の形態４は、本発明の実施の形態１〜３に適用することができる。
【００７２】
このように本発明の実施の形態４によれば、本発明の実施の形態１〜３のいずれかの効果に加えて、周期適正化部６０１による判定結果に基づいて電力供給の周期を制御することができる。
【００７３】
【発明の効果】
以上説明したように、本発明によれば、セルラー無線信号により通信を行うセルラー無線システムと無線ＬＡＮ信号により通信を行う無線ＬＡＮシステムとを統合したハイブリッド無線通信システムにおける移動通信端末装置であるため、大容量のデータ伝送を実現し、かつ、移動通信端末装置が必要なときのみ無線ＬＡＮシステムの基地局と無線リンクを確立するため消費電力を削減することができる。
【図面の簡単な説明】
【図１】本発明の実施の形態１に係る移動通信端末装置の構成を示すブロック図
【図２】本発明の実施の形態１に係る移動通信端末装置が用いられるセルラー無線システムと無線ＬＡＮシステムを統合したハイブリッド無線通信システムの構成の概略を示す模式図
【図３】本発明の実施の形態１に係る移動通信端末装置の動作を説明するためのフロー図
【図４】本発明の実施の形態２に係る移動通信端末装置の構成を示すブロック図
【図５】本発明の実施の形態３に係る移動通信端末装置の構成を示すブロック図
【図６】本発明の実施の形態４に係る移動通信端末装置の構成を示すブロック図
【符号の説明】
１００、４００、５００、６００  移動通信端末装置
１０１、１０６  アンテナ
１０２  セルラー無線信号受信部
１０３  セルラー無線エリア判定部
１０４  セルラー無線通信部
１０５  電力供給制御部
１０７  無線ＬＡＮ信号受信部
１０８  無線ＬＡＮ通信エリア判定部
１０９  無線ＬＡＮ信号通信部
４０１  バッテリ残量検知部
５０１  判定履歴記憶部
６０１  周期適正化部
【図１】
2004349863.tif 000003
【図２】
2004349863.tif 000004
【図３】
2004349863.tif 000005
【図４】
2004349863.tif 000006
【図５】
2004349863.tif 000007
【図６】
2004349863.tif 000008